(57)【要約】【課題】電子辞書装置で、複数の辞書を辞書データベースとして搭載していても、ユーザ所望の適切な辞書を簡単に選択して見出し語検索することを可能にする。【解決手段】例えば「英和」のメイン辞書を「シ＊ニアス英和」、サブ辞書を「リ＊ダーズ英和」…としてメイン・サブ辞書設定テーブル１２ｄに設定した状態で、種類別にした辞書キー「英和」１６a3の１キー操作に応じて当該「英和」メイン辞書に基づく入力見出し語対応の検索見出し語一覧画面Ｇ２（図１１（Ａ）参照）が表示され、ここに入力見出し語と完全一致する見出し語がない場合に「サブ辞書」キー１６Ｄを１キー操作すると、同種のサブ辞書に基づき入力見出し語と完全一致する見出し語が検索され（図１１（Ｂ）参照）、その説明情報が説明情報表示画面Ｇ３（図１１（Ｃ）参照）にて表示される。【選択図】    図１１
2005216109.tif 000002
【特許請求の範囲】
【請求項１】
複数の辞書毎に見出し語に対応した説明情報を記憶する複数辞書記憶手段と、
前記複数の辞書の何れかの辞書を基本辞書として設定する基本辞書設定手段と、
検索対象文字を入力する検索文字入力手段と、
この検索文字入力手段により入力された検索対象文字に対応して前記基本辞書における見出し語を読み出して表示させる基本辞書見出し語表示制御手段と、
この基本辞書見出し語表示制御手段により表示された見出し語について、何れかの見出し語が選択された際に、当該選択された見出し語に対応した説明情報を前記基本辞書から読み出して表示させる基本辞書情報表示制御手段と、
前記基本辞書見出し語表示制御手段により前記検索対象文字に対応した基本辞書の見出し語を表示させた後、所定のキー操作に応じて前記基本辞書以外の他の辞書における前記検索対象文字に対応した見出し語を読み出して表示させる他辞書見出し語表示制御手段と、
この他辞書見出し語表示制御手段により表示された見出し語について、何れかの見出し語が選択された際に、当該選択された見出し語に対応した説明情報を前記他の辞書から読み出して表示させる他辞書情報表示制御手段と、
を備えたことを特徴とする辞書情報表示制御装置。
【請求項２】
さらに、
基本辞書を指定する辞書キーを備え、
前記基本辞書見出し語表示制御手段は、前記辞書キーの操作に応じて前記検索対象文字に対応した前記基本辞書における見出し語を読み出して表示させ、
前記所定のキーは他の辞書を指定する他辞書キーであり、
前記他辞書見出し語表示制御手段は、前記基本辞書見出し語表示制御手段により前記検索対象文字に対応した基本辞書の見出し語を表示させた後、前記他辞書キーの操作に応じて前記基本辞書以外の他の辞書における前記検索対象文字に対応した見出し語を読み出して表示させる、
ことを特徴とする請求項１に記載の辞書情報表示制御装置。
【請求項３】
前記基本辞書設定手段は、前記複数の辞書につき辞書の種類別に基本辞書と他の辞書を設定し、
前記辞書キーは、指定する基本辞書の種類が異なる複数の辞書キーを有し、
前記他辞書見出し語表示制御手段は、前記他辞書キーの操作に応じて前記辞書キーにより指定された基本辞書の種類と同種の他の辞書における前記検索対象文字に対応した見出し語を読み出して表示させる、
ことを特徴とする請求項２に記載の辞書情報表示制御装置。
【請求項４】
前記基本辞書設定手段は、前記複数の辞書につき辞書の種類別に任意の基本辞書と他の辞書を設定することを特徴とする請求項３に記載の辞書情報表示制御装置。
【請求項５】
さらに、
前記複数の辞書毎に前記複数の辞書キーのそれぞれにて指定可能な種類情報を対応付けて記憶する辞書指定可能情報記憶手段と、
前記基本辞書設定手段による辞書の種類別の基本辞書と他の辞書の設定内容を、前記辞書指定可能情報記憶手段により記憶された前記複数の辞書キーのそれぞれにて指定可能な種類情報を対応付けた辞書との関係に応じて制限する辞書設定制限手段と、
を備えたことを特徴とする請求項４に記載の辞書情報表示制御装置。
【請求項６】
さらに、
前記基本辞書情報表示制御手段または前記他辞書情報表示制御手段により表示された説明情報の中からジャンプ検索対象文字を指定するジャンプ検索文字指定手段と、
このジャンプ検索文字指定手段により指定されたジャンプ検索対象文字と一致する見出し語に対応した説明情報を前記基本辞書から読み出して表示させるジャンプ検索基本辞書情報表示制御手段と、
を備えたことを特徴とする請求項１ないし請求項５の何れか１項に記載の辞書情報表示制御装置。
【請求項７】
さらに、
前記ジャンプ検索文字指定手段により指定されたジャンプ検索対象文字と一致する見出し語が前記基本辞書にない場合には、当該基本辞書と同種の他の辞書からジャンプ検索対象文字に対応する見出し語を読み出して表示させるジャンプ検索他辞書見出し語表示制御手段を備えたことを特徴とする請求項６に記載の辞書情報表示制御装置。
【請求項８】
電子辞書装置のコンピュータを制御するための辞書情報表示制御プログラムであって、
前記コンピュータを、
複数の辞書毎に見出し語に対応した説明情報を記憶する複数辞書記憶手段、
前記複数の辞書の何れかの辞書を基本辞書として設定する基本辞書設定手段、
検索対象文字を入力する検索文字入力手段、
この検索文字入力手段により入力された検索対象文字に対応して前記基本辞書における見出し語を読み出して表示させる基本辞書見出し語表示制御手段、
この基本辞書見出し語表示制御手段により表示された見出し語について、何れかの見出し語が選択された際に、当該選択された見出し語に対応した説明情報を前記基本辞書から読み出して表示させる基本辞書情報表示制御手段、
前記基本辞書見出し語表示制御手段により前記検索対象文字に対応した基本辞書の見出し語を表示させた後、所定のキー操作に応じて前記基本辞書以外の他の辞書における前記検索対象文字に対応した見出し語を読み出して表示させる他辞書見出し語表示制御手段、
この他辞書見出し語表示制御手段により表示された見出し語について、何れかの見出し語が選択された際に、当該選択された見出し語に対応した説明情報を前記他の辞書から読み出して表示させる他辞書情報表示制御手段、
として機能させるようにしたコンピュータ読み込み可能な辞書情報表示制御プログラム。
【請求項９】
複数の辞書毎に見出し語に対応した説明情報を記憶する複数辞書記憶手段と、検索対象文字を入力する検索文字入力手段とを有する電子辞書装置を制御するための辞書情報表示制御方法であって、
前記複数の辞書の何れかの辞書を基本辞書として設定する基本辞書設定ステップと、
前記検索文字入力手段により入力された検索対象文字に対応して前記基本辞書における見出し語を読み出して表示させる基本辞書見出し語表示制御ステップと、
この基本辞書見出し語表示制御ステップにて表示された見出し語について、何れかの見出し語が選択された際に、当該選択された見出し語に対応した説明情報を前記基本辞書から読み出して表示させる基本辞書情報表示制御ステップと、
前記基本辞書見出し語表示制御ステップにて前記検索対象文字に対応した基本辞書の見出し語を表示させた後、所定のキー操作に応じて前記基本辞書以外の他の辞書における前記検索対象文字に対応した見出し語を読み出して表示させる他辞書見出し語表示制御ステップと、
この他辞書見出し語表示制御ステップにて表示された見出し語について、何れかの見出し語が選択された際に、当該選択された見出し語に対応した説明情報を前記他の辞書から読み出して表示させる他辞書情報表示制御ステップと、
からなることを特徴とする辞書情報表示制御方法。
【発明の詳細な説明】
【技術分野】
【０００１】
本発明は、電子データ化した種々の辞書データベースを記憶して任意の見出し語に対応する言語訳や意味内容などの説明情報を検索表示するための辞書情報表示制御装置、および辞書情報表示制御プログラム、辞書情報表示制御方法に関する。
【背景技術】
【０００２】
従来から、国語辞典，英和辞典，和英事典などの各種の辞典や辞書を電子データ化してＲＯＭなどの記憶媒体に格納し、これに基づき各種の言語や語句を見出し語として入力し、その訳語や意味内容などの説明情報を検索して表示するようにした電子辞書装置が広く汎用されている。
【０００３】
近年このような電子辞書装置では、各種の辞書データベースのそれぞれにおいて多数の辞書が搭載されるようになっており、例えば英和辞書だけでもその辞書メーカやユーザ対象レベルの異なる３つ以上の辞書が予め内蔵されているものもある。
【０００４】
また最近では、「国語」「漢和」「英和」「和英」などの全ての種類の辞書を合わせて、３０辞書以上という非常に多くの辞書が内蔵されている電子辞書装置もある。
【０００５】
このような電子辞書装置を利用し、任意の見出し語を入力して検索の実行を行う場合は、例えば各辞書種別「国語」「漢和」「英和」「和英」…に特定の辞書を指定するために５個（種）〜６個（種）設けられている辞書指定キーを選択操作して所望の種類の特定辞書を指定し、この指定した種類の特定辞書に基づいて見出し語の検索を実施している。
【０００６】
そして、前記辞書指定キーにより直接的に選択指定できない他の辞書については、シフトキーと各辞書指定キーとの組合せにより対応付けられた他の特定辞書を指定したり、さらには各辞書を一覧表示する辞書選択メニュー画面の中から所望の種類で所望の辞書を指定したりして検索対象となる辞書を指定している。
【０００７】
また、複数の辞書の全ての辞書データに基づいて見出し語検索を行い、検索対象の見出し語を有する各辞書データから読み出された説明情報を一括して表示するようにした電子辞書装置も考えられている（例えば、特許文献１参照。）。
【特許文献１】特開２０００−２７６４７９号公報
【発明の開示】
【発明が解決しようとする課題】
【０００８】
このように、前記特許文献１にあるような従来の電子辞書装置では、予め内蔵された複数の辞書の全ての辞書データに対して、入力された見出し語との一致検索を行い、当該見出し語の検索された各辞書データからの説明情報を一括して表示したり、あるいは辞書指定キーにより当該キーに予め対応付けされた特定辞書を指定して見出し語検索し表示したり、さらには辞書選択メニュー画面の中から所望の１辞書を選択指定して見出し語検索し表示したり色々することはできるものの、多数搭載されている各辞書のうちどのような辞書を優先的に選択して見出し語検索するのか、さらには、一旦所望の辞書を指定して行った検索結果から一致見出し語が得られなかった場合に次に適切な辞書をどのように選択指定するのかなどが明確でなく、ユーザに合った適切な辞書から入力見出し語に対応した適切な説明情報を得るまでの操作が非常に煩雑で分かり辛い問題があった。
【０００９】
したがって、多種多様な沢山の辞書を予め内蔵して搭載した電子辞書装置であっても、これを十分に使いこなすのが困難であった。
【００１０】
本発明は、このような課題に鑑みなされたもので、複数の辞書を辞書データベースとして搭載した電子辞書装置であっても、ユーザ所望の適切な辞書を簡単に選択して見出し語検索することが可能になる辞書情報表示制御装置、および辞書情報表示制御プログラム、辞書情報表示制御方法を提供することを目的とする。
【課題を解決するための手段】
【００１１】
本発明の請求項１に係る辞書情報表示制御装置では、複数辞書記憶手段により複数の辞書毎に見出し語に対応した説明情報が記憶され、基本辞書設定手段により前記複数の辞書の何れかの辞書が基本辞書として設定される。そして、検索文字入力手段により検索対象文字が入力されると、この入力された検索対象文字に対応して前記基本辞書における見出し語が基本辞書見出し語表示制御手段によって読み出されて表示され、この基本辞書見出し語表示制御手段により表示された見出し語について、何れかの見出し語が選択されると、当該選択された見出し語に対応した説明情報が基本辞書情報表示制御手段によって前記基本辞書から読み出されて表示される。一方、前記基本辞書見出し語表示制御手段により前記検索対象文字に対応した基本辞書の見出し語が表示された状態では、他辞書見出し語表示制御手段によって、所定のキー操作に応じて前記基本辞書以外の他の辞書における前記検索対象文字に対応した見出し語が読み出されて表示され、この他辞書見出し語表示制御手段により表示された見出し語について、何れかの見出し語が選択されると、当該選択された見出し語に対応した説明情報が他辞書情報表示制御手段によって前記他の辞書から読み出されて表示される。
【００１２】
これによれば、多数の辞書を内蔵していても、まずは設定した適切な基本辞書に基づいて検索対象文字に対応する見出し語検索を行うことができ、当該基本辞書から検索対象文字に対応する見出し語が検索されない場合でも、所定のキーの１キー操作で前記基本辞書以外の他の辞書に基づき検索対象文字に対応する見出し語検索を簡単に行うことができることになる。
【００１３】
本発明の請求項２に係る辞書情報表示制御装置は、前記請求項１に係る辞書情報表示制御装置にあって、さらに、基本辞書を指定する辞書キーを備え、前記基本辞書見出し語表示制御手段では、前記辞書キーの操作に応じて前記検索対象文字に対応した前記基本辞書における見出し語が読み出されて表示され、また前記所定のキーは他の辞書を指定する他辞書キーであり、前記他辞書見出し語表示制御手段では、前記基本辞書見出し語表示制御手段により前記検索対象文字に対応した基本辞書の見出し語が表示された状態での前記他辞書キーの操作に応じて前記基本辞書以外の他の辞書における前記検索対象文字に対応した見出し語が読み出されて表示される。
【００１４】
これによれば、辞書キーの１操作によって設定基本辞書に基づいた検索対象文字の見出し語検索を簡単に起動でき、また他辞書キーの１キー操作によって設定基本辞書以外の他の辞書に基づいた同一検索対象文字の見出し語検索を簡単に起動できることになる。
【００１５】
本発明の請求項３に係る辞書情報表示制御装置は、前記請求項２に係る辞書情報表示制御装置にあって、前記基本辞書設定手段では、前記複数の辞書につき辞書の種類別に基本辞書と他の辞書が設定され、前記辞書キーは、指定する基本辞書の種類が異なる複数の辞書キーを有する。そして、前記他辞書見出し語表示制御手段では、前記他辞書キーの操作に応じて前記辞書キーにより指定された基本辞書の種類と同種の他の辞書における前記検索対象文字に対応した見出し語が読み出されて表示される。
【００１６】
これによれば、辞書キーの１操作で「国語」「英和」などの辞書の種類を指定することで、簡単に指定の種類の基本辞書に基づいた検索対象文字の見出し語検索を起動でき、この後の他辞書キーの１キー操作で簡単に同種の他の辞書に基づいた同一検索対象文字の見出し語検索を起動できることになる。
【００１７】
本発明の請求項４に係る辞書情報表示制御装置は、前記請求項３に係る辞書情報表示制御装置にあって、前記基本辞書設定手段では、前記複数の辞書につき辞書の種類別に任意の基本辞書と他の辞書が設定される。
【００１８】
これによれば、多数の内蔵辞書のうち基本辞書と他の辞書とをユーザ任意で適宜変更して設定することができ、常にユーザに適切な基本辞書と他の辞書による検索処理を実行できることになる。
【００１９】
本発明の請求項５に係る辞書情報表示制御装置では、前記請求項４に係る辞書情報表示制御装置にあって、さらに、辞書指定可能情報記憶手段によって前記複数の辞書毎に前記複数の辞書キーのそれぞれにて指定可能な種類情報が対応付けて記憶され、辞書設定制限手段によって前記基本辞書設定手段による辞書の種類別の基本辞書と他の辞書の設定内容が、前記辞書指定可能情報記憶手段により記憶された前記複数の辞書キーのそれぞれにて指定可能な種類情報を対応付けた辞書との関係に応じて制限される。
【００２０】
これによれば、多数の内蔵辞書について、「国語」「英和」などの各種類別の基本辞書と他の辞書をユーザ任意で設定した場合でも、各種類別の辞書キーにより指定が困難な異なる種類の辞書を基本辞書や他の辞書として設定してしまうのを防止できることになる。
【００２１】
本発明の請求項６に係る辞書情報表示制御装置では、前記請求項１ないし請求項５の何れか１項に係る辞書情報表示制御装置にあって、さらに、ジャンプ検索文字指定手段によって前記基本辞書情報表示制御手段または前記他辞書情報表示制御手段により表示された説明情報の中からジャンプ検索対象文字が指定されると、このジャンプ検索文字指定手段により指定されたジャンプ検索対象文字と一致する見出し語に対応した説明情報がジャンプ検索基本辞書情報表示制御手段によって前記基本辞書から読み出されて表示される。
【００２２】
これによれば、説明情報の表示中から検索対象文字を指定してジャンプ検索を行う場合でも、まずは設定した適切な基本辞書に基づいて検索対象文字に対応する見出し語検索を行うことができることになる。
【００２３】
本発明の請求項７に係る辞書情報表示制御装置では、前記請求項６に係る辞書情報表示制御装置にあって、さらに、ジャンプ検索他辞書見出し語表示制御手段によって、前記ジャンプ検索文字指定手段により指定されたジャンプ検索対象文字と一致する見出し語が前記基本辞書にない場合には、当該基本辞書と同種の他の辞書からジャンプ検索対象文字に対応する見出し語が読み出されて表示される。
【００２４】
これによれば、説明情報の表示中から検索対象文字を指定してジャンプ検索を行う場合に、まずは設定した適切な基本辞書に基づいて検索対象文字に対応する見出し語検索ができるだけでなく、当該基本辞書から検索対象文字に対応する見出し語が検索されない場合でも、直ちに前記基本辞書以外の他の辞書に基づき検索対象文字に対応する見出し語検索ができることになる。
【発明の効果】
【００２５】
本発明の請求項１（請求項８）（請求項９）に係る辞書情報表示制御装置（辞書情報表示制御プログラム）（辞書情報表示制御方法）によれば、多数の辞書を内蔵していても、まずは設定した適切な基本辞書に基づいて検索対象文字に対応する見出し語検索を行うことができ、当該基本辞書から検索対象文字に対応する見出し語が検索されない場合でも、所定のキーの１キー操作で前記基本辞書以外の他の辞書に基づき検索対象文字に対応する見出し語検索を簡単に行うことができるようになる。
【００２６】
本発明の請求項２に係る辞書情報表示制御装置によれば、前記請求項１に係る辞書情報表示制御装置にあって、さらに、辞書キーの１操作によって設定基本辞書に基づいた検索対象文字の見出し語検索を簡単に起動でき、また他辞書キーの１キー操作によって設定基本辞書以外の他の辞書に基づいた同一検索対象文字の見出し語検索を簡単に起動できるようになる。
【００２７】
本発明の請求項３に係る辞書情報表示制御装置によれば、前記請求項２に係る辞書情報表示制御装置にあって、辞書キーの１操作で「国語」「英和」などの辞書の種類を指定することで、簡単に指定の種類の基本辞書に基づいた検索対象文字の見出し語検索を起動でき、この後の他辞書キーの１キー操作で簡単に同種の他の辞書に基づいた同一検索対象文字の見出し語検索を起動できるようになる。
【００２８】
本発明の請求項４に係る辞書情報表示制御装置によれば、前記請求項３に係る辞書情報表示制御装置にあって、多数の内蔵辞書のうち基本辞書と他の辞書とをユーザ任意で適宜変更して設定することができ、常にユーザに適切な基本辞書と他の辞書による検索処理を実行できるようになる。
【００２９】
本発明の請求項５に係る辞書情報表示制御装置によれば、前記請求項４に係る辞書情報表示制御装置にあって、さらに、多数の内蔵辞書について、「国語」「英和」などの各種類別の基本辞書と他の辞書をユーザ任意で設定した場合でも、各種類別の辞書キーにより指定が困難な異なる種類の辞書を基本辞書や他の辞書として設定してしまうのを防止できるようになる。
【００３０】
本発明の請求項６に係る辞書情報表示制御装置によれば、前記請求項１ないし請求項５の何れか１項に係る辞書情報表示制御装置にあって、さらに、説明情報の表示中から検索対象文字を指定してジャンプ検索を行う場合でも、まずは設定した適切な基本辞書に基づいて検索対象文字に対応する見出し語検索を行うことができるようになる。
【００３１】
本発明の請求項７に係る辞書情報表示制御装置によれば、前記請求項６に係る辞書情報表示制御装置にあって、さらに、説明情報の表示中から検索対象文字を指定してジャンプ検索を行う場合に、まずは設定した適切な基本辞書に基づいて検索対象文字に対応する見出し語検索ができるだけでなく、当該基本辞書から検索対象文字に対応する見出し語が検索されない場合でも、直ちに前記基本辞書以外の他の辞書に基づき検索対象文字に対応する見出し語検索ができるようになる。
【００３２】
よって、本発明によれば、複数の辞書を辞書データベースとして搭載した電子辞書装置であっても、ユーザ所望の適切な辞書を簡単に選択して見出し語検索することが可能になる辞書情報表示制御装置、および辞書情報表示制御プログラム、辞書情報表示制御方法を提供できる。
【発明を実施するための最良の形態】
【００３３】
以下図面により本発明の実施の形態について説明する。
【００３４】
図１は本発明の辞書情報表示制御装置の実施形態に係る携帯機器（電子辞書）１０の電子回路の構成を示すブロック図である。
【００３５】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３６】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００３７】
前記ＣＰＵ１１には、前記メモリ１２、記憶媒体読取部１４、通信部１５、入力部１６が接続される他に、ＬＣＤからなる表示部１７などが接続される。
【００３８】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、新たに必要な辞書データを辞書管理用のＷｅｂサーバ２０やメモリカード（記憶媒体）１３からダウンロードしたり、辞書データ（１２ｂ）に基づき見出し語入力に応じた訳語や意味内容などの各種説明情報を検索したり、記憶内蔵された複数の辞書について「国語」「漢和」「英和」「和英」など辞書の種類を指定する各辞書キー１６an（図４参照）毎にユーザ任意のメイン辞書／サブ辞書を設定し、当該辞書キー１６anの１キー操作で希望辞書種のメイン辞書に基づく見出し語検索を起動すると共に、「サブ辞書」キー１６Ｄ（図４参照）の１キー操作で同種のサブ辞書に基づく見出し語検索を起動するための辞書制御プログラム１２ａが記憶される。
【００３９】
また、このメモリ１２には、辞書データメモリ１２ｂ、辞書設定可能キーテーブル１２ｃ、メイン・サブ辞書設定テーブル１２ｄ、ワークエリア１２ｅなどが用意される。
【００４０】
辞書データメモリ１２ｂには、「国語辞典」「漢和辞典」「英和辞典」「和英辞典」など、種類の異なる多数の辞書データ（例えば１４辞書）が予め、あるいはダウンロードされて複数辞書記憶されるもので、例えば「広○苑」「マイ百科事典」「カタカナ辞典」「漢○林」「ジュニア英和」「シ＊ニアス英和」「リ＊ダーズ英和」「リ＊ダーズα英和」「ジュニア和英」「シ＊ニアス和英」「医学事典」「中国語辞典」「古語辞典」「ＩＴ用語辞典」記憶される。そして、これらの各内蔵辞書は、それぞれ前記各種別の辞書キー「国語」「漢和」「英和」「和英」１６a1〜１６a4（図４参照）毎に当該キー操作に応じて検索対象として設定可能な辞書であるか否かが、次の図２に示す辞書設定可能キーテーブル１２ｃにて予め定められる。
【００４１】
図２は前記携帯機器（電子辞書）１０のメモリ１２に記憶される辞書設定可能キーテーブル１２ｃのテーブルデータを示す図である。
【００４２】
すなわち、この辞書設定可能キーテーブル１２ｃによって、４種類の辞書を選択的に指定するための各辞書キー「国語」１６a1，「漢和」１６a2，「英和」１６a3，「和英」１６a4それぞれの操作により指定可能な辞書が定められ制限される。
【００４３】
本実施形態において「国語辞典」として設定可能な辞書は「広○苑」「マイ百科事典」「カタカナ辞書」「医学事典」「古語辞典」「ＩＴ用語事典」とされ、「漢和辞典」として設定可能な辞書は「漢○林」「中国語辞典」とされ、「英和辞典」として設定可能な辞書は「ジュニア英和辞典」「シ＊ニアス英和辞典」「リ＊ダーズ英和辞典」「リ＊ダーズα英和辞典」「ＩＴ用語事典」とされ、「和英辞典」として設定可能な辞書としては「カタカナ辞書」「ジュニア和英辞典」「シ＊ニアス和英辞典」「ＩＴ用語事典」とされる。
【００４４】
図３は前記携帯機器（電子辞書）１０のメモリ１２に記憶されるメイン・サブ辞書設定テーブル１２ｄのテーブルデータを示す図である。
【００４５】
このメイン・サブ辞書設定テーブル１２ｄには、前記辞書データメモリ１２ｂに記憶されている各種類別（「国語」「漢和」「英和」「和英」）の複数辞書について、同種複数辞書内での主要な第１使用辞書がメイン辞書として設定され、その他の辞書が例えば当該メイン辞書を基準とした第２，第３，…使用順のサブ辞書として設定されるもので、このメイン辞書とサブ辞書の設定状態は予めデフォルトで指定された後、ユーザ操作に応じて任意に置換設定される。
【００４６】
このメイン・サブ辞書設定テーブル１２ｄに従って、各辞書キー「国語」１６a1，「漢和」１６a2，「英和」１６a3，「和英」１６a4それぞれの操作に応じた検索対象辞書として起動される１つのメイン辞書が設定され、また当該メイン辞書起動後の「サブ辞書」キー１６Ｄ（図４参照）の操作に応じたメイン辞書と同種の検索対象辞書として起動されるサブ辞書が設定される。
【００４７】
なお、このメイン・サブ辞書設定テーブル１２ｄにおいて、各辞書キー「国語」１６a1，「漢和」１６a2，「英和」１６a3，「和英」１６a4の何れのメイン辞書またはサブ辞書にも設定されない他の辞書については、「メニュー」キー１６ｍ（図４参照）の操作に応じて一覧表示される辞書選択メニュー画面上での選択対象辞書として設定される。
【００４８】
そして、このメイン・サブ辞書設定テーブル１２ｄにおける各辞書キー対応のメイン辞書・サブ辞書を任意に置換設定するにあたり、各辞書の設定位置は前記図２における辞書設定可能キーテーブル１２ｃにて定められた辞書キー位置に制限される。
【００４９】
ワークエリア１２ｅには、前記辞書制御プログラム１２ａなどの各種の装置制御プログラムに従いＣＰＵ１１に入出力される種々のデータが必要に応じて記憶される。
【００５０】
図４は前記携帯機器（電子辞書）１０の入力部１６であるキーボードパネルを示す図である。
【００５１】
キーボードパネル（１６）には、ひらがな，カタカナ，漢字，英数字を任意入力するための一連の文字入力キーが配列されると共に、辞書データメモリ１２ｂに記憶されている全ての辞書を対象にして入力見出し語に対応する説明情報の検索を行うための「全辞書」キー１６Ａ、各種別のメイン辞書を指定して入力見出し語に対応する説明情報の検索を行うための各辞書キー「国語」１６a1、「漢和」１６a2、「英和」１６a3、「和英」１６a4、ノーマルモードでメニューキー，シフトモードで電卓キーとして機能する「メニュー／電卓」キー１６ｍ、シフトモードに設定するための「シフト」キー１６ｓ、ノーマルモードで削除キー，シフトモードで設定キーとして機能する「削除／設定」キー１６Ｅ、メイン辞書を対象とした見出し語検索後の状態において同種サブ辞書でも同一の見出し語検索を行うための「サブ辞書」キー１６Ｄ、メイン辞書あるいはサブ辞書に基づき見出し語検索表示されている説明情報中の文字列を新たな検索対象見出し語として任意指定し同種メイン辞書からサブ辞書にわたる新たな見出し語検索処理を起動させるための「スーパージャンプ」キー１６Ｊ、検索表示中の説明情報に記述されている「用例／解説」マークを指定してその用例または解説を表示させるための「用例・解説」キー１６Ｒ、処理ステップの戻りを指示するための「戻る」キー１６Ｂ、各種ページ操作の他、検索表示中の隣接見出し語の切り替え指定やメイン辞書／サブ辞書間の切り替え操作を行うためのページアップキー１６ｕ，ページダウンキー１６ｄ、表示画面上でのデータ選択操作やスクロール操作を行うための上下左右方向の各カーソルキー１６xd，１６xu，１６yr，１６yf、そして、選択データの決定／確定や選択見出し語に対応した説明情報の読出し表示を指示するための「訳／決定」キー１６Ｙなどが備えられる。
【００５２】
次に、前記構成の携帯機器（電子辞書）１０による辞書情報表示制御機能について説明する。
【００５３】
図５は前記携帯機器（電子辞書）１０による情報表示制御機能の全体処理（その１）を示すフローチャートである。
【００５４】
図６は前記携帯機器（電子辞書）１０による情報表示制御機能の全体処理（その２）を示すフローチャートである。
【００５５】
図７Ａは前記携帯機器（電子辞書）１０による情報表示制御機能の全体処理（その１）に伴うメイン・サブ辞書設定処理（その１）を示すフローチャートである。
【００５６】
図７Ｂは前記携帯機器（電子辞書）１０による情報表示制御機能の全体処理（その１）に伴うメイン・サブ辞書設定処理（その２）を示すフローチャートである。
【００５７】
図８は前記携帯機器（電子辞書）１０による情報表示制御機能のメイン・サブ辞書設定処理に伴うメイン・サブ辞書設定画面Ｇ１でのキー操作対応の表示動作（その１）を示す図である。
図９は前記携帯機器（電子辞書）１０による情報表示制御機能のメイン・サブ辞書設定処理に伴うメイン・サブ辞書設定画面Ｇ１でのキー操作対応の表示動作（その２）を示す図である。
図１０は前記携帯機器（電子辞書）１０による情報表示制御機能のメイン・サブ辞書設定処理に伴うメイン・サブ辞書設定画面Ｇ１でのキー操作対応の表示動作（その３）を示す図である。
まず、辞書データメモリ１２ｂに記憶されている各種類別「国語」「漢和」「英和」「和英」の複数辞書について、ユーザが主要に第１使用するメイン辞書と第２以降に使用するサブ辞書の設定を行う場合に、図８（Ａ）に示すように、「シフト」キー１６ｓ＋「設定」キー１６Ｅの操作に従い“メイン・サブ辞書設定の指示あり”が判断されると（ステップＡ１→Ａ２）、図７Ａ・図７Ｂにおけるメイン・サブ辞書設定処理に移行される（ステップＡＳ）。
【００５８】
このメイン・サブ辞書設定処理が起動されると、表示部１７にメイン・サブ辞書設定画面Ｇ１が表示され、メイン・サブ辞書設定テーブル１２ｄ（図３参照）に記憶されている各辞書種類別のメイン辞書／サブ辞書の現在の設定内容に従って、各辞書キー「国語」１６a1、「漢和」１６a2、「英和」１６a3、「和英」１６a4、および「メニュー」キー１６ｍにそれぞれ対応付けられたメイン辞書とサブ辞書が表示される（ステップＳ１）。
【００５９】
そして、図８（Ａ）で示したように、同メイン・サブ辞書設定画面Ｇ１において、交換元辞書のユーザ選択を促すためのメッセージ「交換する辞書を選択してください」が表示される（ステップＳ２）。
【００６０】
この交換元辞書のユーザ選択メッセージが表示されているメイン・サブ辞書設定画面Ｇ１にあって、上下左右方向のカーソルキー１６xu，１６xd，１６yr，１６yfが操作されると（ステップＳ３）、反転表示される辞書選択カーソルＫが当該カーソル操作方向に移動表示される（ステップＳ４）。
【００６１】
この辞書選択カーソルＫの移動表示に伴い交換元の辞書が選択されて、図８（Ｂ）に示すように、「訳／決定」キー１６Ｙが操作されると（ステップＳ５）、当該選択中の辞書が交換元辞書として決定され、二重枠付きで反転表示される交換元決定マークＭが表示される（ステップＳ６）。
【００６２】
すると、同メイン・サブ辞書設定画面Ｇ１において、前記決定された交換元辞書Ｍの交換先のユーザ選択を促すためのメッセージ「交換先を選択してください」が表示される（ステップＳ７）。
【００６３】
この交換先のユーザ選択メッセージが表示されているメイン・サブ辞書設定画面Ｇ１にあって、上下左右方向のカーソルキー１６xu，１６xd，１６yr，１６yfが操作されると（ステップＳ８）、前記交換元辞書の選択時と同様に反転表示される辞書選択カーソルＫが当該カーソル操作方向に移動表示される（ステップＳ９）。
【００６４】
そして、「訳／決定」キー１６Ｙが操作されると（ステップＳ１０）、当該選択中の辞書キー位置あるいは該選択キー位置にある辞書が前記交換元辞書の交換先キー位置あるいは交換先辞書として仮決定される（ステップＳ１１）。
【００６５】
すると、辞書設定可能キーテーブル１２ｃ（図２参照）から前記ステップＳ６にて選択決定された交換元辞書を交換設定可能な辞書種類（辞書キー位置）が検知され（ステップＳ１２）、前記ステップＳ１１にて仮決定された交換先の辞書種類（辞書キー位置）は、前記交換元辞書の交換先として設定可能な辞書種類（辞書キー位置）であるか否か判断される（ステップＳ１３）。
【００６６】
例えば前記図８（Ａ）（Ｂ）で示したメイン・サブ辞書設定画面Ｇ１の場合では、辞書キー「英和」１６a3に対応付けられていたメイン辞書「ジュニア英和」を交換元辞書とし、「メニュー」キー１６ｍのキー位置を交換先として設定希望したもので、この場合の交換元辞書「ジュニア英和」の交換先である「メニュー」キー１６ｍのキー位置は、前記辞書設定可能キーテーブル１２ｃにおいて何ら制限を受けないので、当該「メニュー」キー１６ｍのキー位置は交換元辞書「ジュニア英和」の交換先として設定可能な辞書種類（辞書キー位置）であると判断され（ステップＳ１３）、その交換先に辞書はあるか否か判断される（ステップＳ１４）。
【００６７】
この場合、前記選択された交換先である当該「メニュー」キー１６ｍのキー位置には何らの辞書の設定もないと判断されるので、辞書選択カーソルＫにより選択中の辞書キー位置（ここでは「メニュー」キー１６ｍのキー位置）が前記交換元辞書の交換先キー位置として正式決定され、図９（Ｃ）に示すように、前記交換元辞書「ジュニア英和」が交換先として正式決定された「メニュー」キー１６ｍのキー位置に変更移動されて再表示される（ステップＳ１５）。
【００６８】
これにより、前記メイン・サブ辞書設定テーブル１２ｄにあって、ユーザ選択した交換元の辞書を、辞書設定可能キーテーブル１２ｃに基づき交換先の辞書種類（辞書キー位置）として設定可能な範囲内において任意に変更設定することができる。
【００６９】
なお、前記ステップＳ１３において、仮決定された現在選択表示中の交換先が交換元辞書を設定可能な辞書種類（辞書キー位置）であると判断されると共に、ステップＳ１４において、当該交換先に何らかの辞書が設定されていると判断された場合には、辞書設定可能キーテーブル１２ｃ（図２参照）に基づき、その交換先にある辞書を設定可能な辞書種類（辞書キー位置）が検知され（ステップＳ１６）、前記交換元辞書が選択決定されたところの辞書種類（辞書キー位置）が当該交換先辞書を設定可能な辞書種類（辞書キー位置）であるか否か判断される（ステップＳ１７）。
【００７０】
ここで、例えば交換先にある辞書が「ＩＴ用語事典」で、交換元の辞書種類（辞書キー位置）が辞書キー「英和」１６a3である場合には、交換元辞書が選択決定されたところの辞書種類（辞書キー位置）は交換先辞書を設定可能な辞書種類（辞書キー位置）であると判断される。そして、辞書選択カーソルＫにより選択中の辞書キー位置にある辞書が交換元辞書の交換先辞書として正式決定され、当該交換元辞書と交換先辞書とがその表示位置を入れ替えられて変更され再表示される（ステップＳ１７→Ｓ１８）。
【００７１】
これにより、前記メイン・サブ辞書設定テーブル１２ｄにあって、ユーザ選択した交換元の辞書と交換先の辞書とを、辞書設定可能キーテーブル１２ｃに基づきそのそれぞれの辞書の交換先と交換元の辞書種類（辞書キー位置）として設定可能な範囲内において、任意に入れ替えて交換設定することができる。
【００７２】
なお、前記ステップＳ１３において、例えば交換元辞書が「漢○林」、交換先の辞書種類（辞書キー位置）が辞書キー「英和」１６a3に対応したキー位置である場合に、当該選択仮決定された交換先の辞書種類（辞書キー位置「英和」１６a3）が、交換元辞書「漢○林」の交換先として設定可能な辞書種類（辞書キー位置）ではないと判断された場合には、現在選択中の交換元辞書は前記選択仮決定された交換先の辞書種類（辞書キー位置）に設定不可能であることを通知するメッセージが表示され（ステップＳ１９）、交換先選択メッセージの表示状態に戻る（ステップＳ７）。
【００７３】
また、前記ステップＳ１７において、例えば交換元辞書の辞書種類（辞書キー位置）が辞書キー「和英」１６a4に対応したキー位置で、交換先の辞書が「医学事典」である場合に、当該交換元の辞書種類（辞書キー位置「和英」１６a4）が、交換先辞書「医学事典」を設定可能な辞書種類（辞書キー位置）ではないと判断された場合には、前記選択仮決定中の交換先辞書は前記選択決定された交換元の辞書種類（辞書キー位置）に設定不可能であることを通知するメッセージが表示され（ステップＳ２０）、交換先選択メッセージの表示状態に戻る（ステップＳ７）。
【００７４】
これにより、ユーザ選択された交換元辞書およびその辞書キー位置と、交換先辞書およびその辞書キー位置との間で、辞書設定可能キーテーブル１２ｃに定義されない不適切なメイン・サブ辞書の設定変更が行われるのを未然に防止することができる。
【００７５】
そして、「戻る」キー１６Ｂが操作されると、メイン・サブ辞書設定画面Ｇ１にて現在表示されている各辞書種類（辞書キー１６a1〜１６a4、メニューキー１６ｍ）毎のメイン辞書およびサブ辞書それぞれの設定データがメイン・サブ辞書設定テーブル１２ｄに記憶され設定される（ステップＳ２１（Ｓ２２）→Ｓ２３）。
【００７６】
すなわち、前記図８（Ａ）（Ｂ）および図９（Ｃ）では、辞書キー「和英」１６a3のメイン辞書として設定されていた「ジュニア英和辞典」をメニューキー１６ｍによる一覧選択辞書として変更設定した状態を示し、これに続き、図９（Ｄ）および図１０（Ｅ）では、辞書キー「和英」１６a3のサブ辞書として設定されていた「シ＊ニアス英和辞典」を同種辞書キー「和英」１６a3のメイン辞書として変更設定した状態を示している。
【００７７】
そして、本実施形態では、図１０（Ｆ）に示すように、各辞書種類（辞書キー位置１６a1〜１６a4，１６ｍ）に対応した各メイン辞書およびサブ辞書の変更設定が行われ、このメイン辞書・サブ辞書の設定内容でメイン・サブ辞書設定テーブル１２ｄへの記憶設定が成される。
【００７８】
図１１は前記携帯機器（電子辞書）１０による情報表示制御機能の全体処理に伴うキー操作対応の表示動作（その１）を示す図であり、同図（Ａ）は辞書キー「英和」１６a3操作に伴う見出し語一覧画面Ｇ２を示す図、同図（Ｂ）は「サブ辞書」キー１６Ｄ操作に伴う同種の見出し語一覧画面Ｇ２を示す図、同図（Ｃ）は説明情報表示画面Ｇ３を示す図である。
【００７９】
次に、前記メイン・サブ辞書設定処理により更新設定されたメイン辞書設定テーブル１２ｄが記憶された状態で、任意の入力見出し語に従ってその説明情報を検索表示させる場合の動作について説明する。
【００８０】
例えば英和の辞書検索を行いたい場合に、図１１（Ａ）に示すように、辞書キー「英和」１６a3が操作されると（ステップＡ３）、メイン・サブ辞書設定テーブル１２ｄに基づき、当該辞書種類「英和」の現在の設定メイン辞書である「シ＊ニアス英和」の辞書データが辞書データメモリ１２ｂから読出され（ステップＡ４）、当該「英和」のメイン辞書が起動されてその見出し語（検索文字）入力画面が表示される（ステップＡ５）。
【００８１】
この見出し語（検索文字）入力画面において、例えば検索対象の英単語「ｃｏｐｙｌｅｆｔ」が見出し語として入力表示されると（ステップＡ６）、これに伴い当該入力見出し語に一致および部分一致する単語を含む複数の見出し語が検索され、図１１（Ａ）に示すような見出し語一覧画面Ｇ２として表示される（ステップＡ７）。
【００８２】
この「英和」のメイン辞書「シ＊ニアス英和」に基づいた見出し語一覧画面Ｇ２において、カーソルＫが移動操作され、さらに検索対象としたい見出し語が選択されて「訳／決定」キー１６Ｙが操作された場合には（ステップＡ８）、当該選択された見出し語に対応する説明情報がメイン辞書である「シ＊ニアス英和」の辞書データから読出され、説明情報表示画面Ｇ３（図１１参照）として説明情報の先頭から表示される（ステップＡ９）。
【００８３】
この「英和」メイン辞書に基づいた説明情報表示画面Ｇ３において、カーソル上下キー１６xd，１６xuが操作されると（ステップＡ１０）、当該説明情報表示画面Ｇ３に表示されているメイン辞書「シ＊ニアス英和」の選択見出し語の説明情報が上下にスクロールされて表示される（ステップＡ１１）。
【００８４】
一方、前記ステップＡ７において、図１１（Ａ）で示したように入力見出し語「ｃｏｐｙｌｅｆｔ」に一致あるいは部分一致した複数の見出し語が一覧表示されているメイン辞書「シ＊ニアス英和」での見出し語一覧画面Ｇ２にあって、所望の入力見出し語「ｃｏｐｙｌｅｆｔ」に完全一致する見出し語が検索表示されなかった場合に、同種のサブ辞書「リ＊ダーズ英和」「リ＊ダーズα英和」「ＩＴ用語」にて再検索するには、図１１（Ｂ）に示すように「サブ辞書」キー１６Ｄが操作される（ステップＡ１３）。
【００８５】
すると、メイン・サブ辞書設定テーブル１２ｄに基づき、前記メイン辞書「シ＊ニアス英和」と同種のサブ辞書である「リ＊ダーズ英和」「リ＊ダーズα英和」「ＩＴ用語」の辞書データが辞書データメモリ１２ｂから読出され（ステップＡ１４）、このサブ辞書データから前記入力見出し語「ｃｏｐｙｌｅｆｔ」に一致および部分一致する単語を含む複数の見出し語が検索され、図１１（Ｂ）に示すような複数サブ辞書での見出し語一覧画面Ｇ２として表示される（ステップＡ１５）。
【００８６】
この「英和」の複数サブ辞書「リ＊ダーズ英和」「リ＊ダーズα英和」「ＩＴ用語」に基づいた見出し語一覧画面Ｇ２において、カーソルＫが移動操作され、さらに検索対象としたい一致見出し語「ｃｏｐｙ-ｌｅｆｔ」が選択されて、図１１（Ｃ）に示すように、「訳／決定」キー１６Ｙが操作されると（ステップＡ１６）、当該選択された見出し語「ｃｏｐｙ-ｌｅｆｔ」に対応する説明情報が前記複数サブ辞書の辞書データから読出され、説明情報表示画面Ｇ３として説明情報の先頭から表示される（ステップＡ１７）。
【００８７】
この「英和」サブ辞書に基づいた説明情報表示画面Ｇ３において、カーソル上下キー１６xd，１６xuが操作されると（ステップＡ１８）、当該説明情報表示画面Ｇ３に表示されているサブ辞書での選択見出し語の説明情報が上下にスクロールされて表示される（ステップＡ１９）。
【００８８】
このように、所望の辞書種類の辞書キーの１キー操作で、まず設定されたメイン辞書に基づく入力見出し語対応の説明情報検索表示処理を実行でき、これに続く「サブ辞書」キー１６Ｄの１操作で、同種で設定された複数のサブ辞書に基づく同一見出し語対応の説明情報検索表示処理を実行でき、多数の辞書を内蔵した携帯機器（電子辞書）１０にあっても、非常に簡単な操作で、ユーザ所望の適切なメイン辞書と同種サブ辞書とに基づいた効果的な辞書検索処理を実行できるようなる。
【００８９】
図１２は前記携帯機器（電子辞書）１０による情報表示制御機能の全体処理に伴うキー操作対応の表示動作（その２）を示す図であり、同図（Ｄ）は「スーパージャンプ」キー１６Ｊに応じてジャンプ検索対象文字を指定表示した「英和」サブ辞書での説明情報表示画面Ｇ３を示す図、同図（Ｅ）はジャンプ検索に応じた「英和」メイン辞書での説明情報表示画面Ｇ３を示す図である。
【００９０】
前記「英和」サブ辞書に基づいた説明情報表示画面Ｇ３（図１１（Ｃ）参照）において、当該説明情報中の任意の文字列を直接指定してジャンプ検索を行う場合に、図１２（Ｄ）に示すように、「スーパージャンプ」キー１６Ｊが操作されると（ステップＡ２０）、各カーソルキー１６xu，１６xd，１６yr，１６yfの操作に応じた当該説明情報中でのジャンプ検索対象文字列の指定表示状態となり、例えば「ｃｏｐｙｒｉｇｈｔ」が指定されて反転識別表示される（ステップＡ２１）。
【００９１】
この「英和」サブ辞書に基づいた説明情報表示画面Ｇ３でのジャンプ検索対象文字列「ｃｏｐｙｒｉｇｈｔ」の指定表示状態で、図１２（Ｅ）に示すように、「訳／決定」キー１６Ｙが操作されると、まず同種「英和」のメイン辞書「シ＊ニアス英和」の辞書データに基づいて前記指定表示されたジャンプ検索対象文字列「ｃｏｐｙｒｉｇｈｔ」と完全一致する見出し語が検索される（ステップＡ２２）。
【００９２】
ここで、前記ジャンプ検索対象文字列と完全一致する見出し語「ｃｏｐｙ-ｒｉｇｈｔ」が「英和」メイン辞書「シ＊ニアス英和」から検索された場合には、当該メイン辞書での完全一致見出し語に対応した説明情報がジャンプ検索に応じたメイン辞書での説明情報表示画面Ｇ３として表示される（ステップＡ２３）。
【００９３】
一方、前記ステップＡ２２において、前記ジャンプ検索対象文字列と完全一致する見出し語が同種のメイン辞書から検索されない場合には、当該ジャンプ検索対象文字列と一部一致する単語を含む複数の見出し語が同メイン辞書から検索され見出し語一覧画面Ｇ２として表示される（ステップＡ２２→Ａ２４）。
【００９４】
このジャンプ検索対象文字列と一部一致の複数見出し語によるメイン辞書での見出し語一覧画面Ｇ２にあって、検索対象としたい見出し語が選択されて「訳／決定」キー１６Ｙが操作された場合には（ステップＡ２５）、当該選択された見出し語に対応する説明情報が同メイン辞書から読出され、説明情報表示画面Ｇ３としてその説明情報の先頭から表示される（ステップＡ９）。
【００９５】
図１３は前記携帯機器（電子辞書）１０による情報表示制御機能の全体処理に伴うキー操作対応の表示動作（その３）を示す図であり、同図（Ｆ）はジャンプ検索時の「サブ辞書」キー１６Ｄ操作に伴う見出し語一覧画面Ｇ２を示す図、同図（Ｇ）はその説明情報表示画面Ｇ３を示す図である。
【００９６】
一方、前記ステップＡ２４において、ジャンプ検索対象文字列「ｃｏｐｙｒｉｇｈｔ」に完全一致していない複数の見出し語が一覧表示されているメイン辞書「シ＊ニアス英和」での見出し語一覧画面Ｇ２にあって、当該ジャンプ検索対象文字列に完全一致する見出し語をサブ辞書で検索したい場合に、図１３（Ｆ）に示すように「サブ辞書」キー１６Ｄが操作されると（ステップＡ２６）、前記メイン辞書「シ＊ニアス英和」と同種のサブ辞書である「リ＊ダーズ英和」「リ＊ダーズα英和」「ＩＴ用語」の辞書データから前記ジャンプ検索対象文字列「ｃｏｐｙｒｉｇｈｔ」に一致および部分一致する単語を含む複数の見出し語が検索され、当該サブ辞書での見出し語一覧画面Ｇ２として表示される（ステップＡ２７）。
【００９７】
この複数サブ辞書に基づいた前記ジャンプ検索対象文字列との一致見出し語一覧画面Ｇ２において、ジャンプ検索対象としたい完全一致の見出し語「ｃｏｐｙ-ｒｉｇｈｔ」が選択されて、図１３（Ｇ）に示すように、「訳／決定」キー１６Ｙが操作されると（ステップＡ１６）、当該選択された見出し語「ｃｏｐｙ-ｒｉｇｈｔ」に対応する説明情報が前記複数サブ辞書の辞書データから読出され、説明情報表示画面Ｇ３として説明情報の先頭から表示される（ステップＡ１７）。
【００９８】
なお、前記メイン辞書に基づいた選択見出し語対応の説明情報表示画面Ｇ３の表示状態（ステップＡ９〜Ａ１１）にあって、「スーパージャンプ」キー１６Ｊが操作された場合でも（ステップＡ１２）、前記同様にジャンプ検索対象文字列の指定表示処理からのメイン辞書での検索説明情報表示処理、同種サブ辞書での検索説明情報表示処理へと移行される（ステップＡ２１〜Ａ２７）。
【００９９】
このように、メイン辞書あるいは同種のサブ辞書に基づき検索された説明情報表示画面Ｇ３にあって、所望のジャンプ検索対象文字列を指定してジャンプ検索を行った場合でも、まずは設定メイン辞書での検索処理が実行され、その検索見出し語の一覧画面Ｇ２にあって「サブ辞書」キー１６Ｄを操作すると、同種サブ辞書に基づいた前記ジャンプ検索対象文字列の検索処理が実行されるので、ジャンプ検索処理中にあっても「サブ辞書」キー１６Ｄの１キー操作で予め設定された同種サブ辞書での検索表示処理を実行できるようになる。
【０１００】
したがって、前記構成の携帯機器（電子辞書）１０における各辞書種類別のメイン辞書・サブ辞書を設定した辞書検索表示機能によれば、例えば「英和」のメイン辞書を「シ＊ニアス英和」、サブ辞書を「リ＊ダーズ英和」…としてメイン・サブ辞書設定テーブル１２ｄに設定した状態で、種類別にした辞書キー「英和」１６a3の１キー操作に応じて当該「英和」メイン辞書に基づく入力見出し語対応の検索見出し語一覧画面Ｇ２（図１１（Ａ）参照）が表示され、ここに入力見出し語と完全一致する見出し語がない場合に「サブ辞書」キー１６Ｄを１キー操作すると、同種のサブ辞書に基づき入力見出し語と完全一致する見出し語が検索され（図１１（Ｂ）参照）、その説明情報が説明情報表示画面Ｇ３（図１１（Ｃ）参照）にて表示される。
【０１０１】
このため、同種の辞書が複数内蔵されている場合でも、まず所望の辞書種類を指定する辞書キー１６anの１キー操作によって、ユーザが使い慣れている指定種類のメイン辞書に基づく見出し語検索処理を容易に起動でき、さらに「サブ辞書」キー１６Ｄの１キー操作によって、設定された同種のサブ辞書に基づく同一見出し語の検索処理を簡単且つ速やかに実行できるようになる。
【０１０２】
また、前記構成の携帯機器（電子辞書）１０における各辞書種類別のメイン辞書・サブ辞書を設定した辞書検索表示機能によれば、各キートップにそれぞれ「国語」「漢和」「英和」「和英」と印刷された複数種類の辞書キー１６a1〜１６a4を備え、それぞれの辞書種での辞書キー１６a1，１６a2，１６a3，１６a4の１キー操作によって当該操作キーに対応する種類の複数辞書のうちのメイン辞書が選択起動され、さらに「サブ辞書」キー１６Ｄの１キー操作によって前記メイン辞書と同種のサブ辞書が選択起動されるので、ユーザにとって各種適切な辞書を非常に簡単に選択指定してそのメイン辞書とサブ辞書による見出し語説明情報を得ることができる。
【０１０３】
また、前記構成の携帯機器（電子辞書）１０における各辞書種類別のメイン辞書・サブ辞書を設定した辞書検索表示機能によれば、「国語」「漢和」「英和」「和英」の各種それぞれの複数辞書のうち、メイン辞書とサブ辞書はユーザ操作に応じて任意に変更設定できるので、例えばユーザレベルの変化に伴い常に適切なメイン辞書とサブ辞書を簡単に設定できるようになる。
【０１０４】
しかも、各辞書種類毎のメイン辞書・サブ辞書のユーザ操作による設定変更を行う場合には、そのメイン・サブ辞書設定テーブル１２ｄ上でユーザ選択された交換元辞書およびその辞書種キー位置と、交換先辞書およびその辞書種キー位置との間で、交換元辞書が交換先の辞書種として設定可能かどうか、また交換先辞書が交換元の辞書種として設定可能かどうかが、辞書設定可能キーテーブル１２ｃにて定義された各辞書毎の設定可能な辞書種類に基づき判断され、設定不可能な辞書の位置交換は阻止されるので、不適切にメイン・サブ辞書の設定変更が行われるのを未然に防止できるようになる。
【０１０５】
また、前記構成の携帯機器（電子辞書）１０における各辞書種類別のメイン辞書・サブ辞書を設定した辞書検索表示機能によれば、メイン辞書あるいはサブ辞書に基づき検索表示された説明情報表示画面Ｇ３にあって任意の文字列を検索対象文字列に指定してジャンプ検索を行った場合でも、まず同種メイン辞書に基づいた検索表示が行われ、さらに「サブ辞書」キー１６Ｄを操作することで、同種サブ辞書に基づいた検索処理が行われるので、ジャンプ検索処理中にあっても通常検索時と同様にメイン辞書での検索表示処理の後「サブ辞書」キー１６Ｄの１キー操作で同種サブ辞書での検索表示処理を実行できるようになる。
【０１０６】
なお、前記実施形態において記載した携帯機器（電子辞書）１０による各処理の手法、すなわち、図５・図６のフローチャートに示す情報表示制御機能の全体処理、図７Ａ・図７Ｂのフローチャートに示す当該情報表示制御機能の全体処理に伴うメイン・サブ辞書設定処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、通信ネットワーク（インターネット）Ｎとの通信機能を備えた種々のコンピュータ端末は、この外部記憶媒体１３に記憶されたプログラムを記憶媒体読取部１４によってメモリ１２に読み込み、この読み込んだプログラムによって動作が制御されることにより、前記実施形態において説明したメイン辞書・サブ辞書を設定した辞書検索表示機能を実現し、前述した手法による同様の処理を実行することができる。
【０１０７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述したメイン辞書・サブ辞書を設定した辞書検索表示機能を実現することもできる。
【０１０８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０９】
【図１】本発明の辞書情報表示制御装置の実施形態に係る携帯機器（電子辞書）１０の電子回路の構成を示すブロック図。
【図２】前記携帯機器（電子辞書）１０のメモリ１２に記憶される辞書設定可能キーテーブル１２ｃのテーブルデータを示す図。
【図３】前記携帯機器（電子辞書）１０のメモリ１２に記憶されるメイン・サブ辞書設定テーブル１２ｄのテーブルデータを示す図。
【図４】前記携帯機器（電子辞書）１０の入力部１６であるキーボードパネルを示す図。
【図５】前記携帯機器（電子辞書）１０による情報表示制御機能の全体処理（その１）を示すフローチャート。
【図６】前記携帯機器（電子辞書）１０による情報表示制御機能の全体処理（その２）を示すフローチャート。
【図７Ａ】前記携帯機器（電子辞書）１０による情報表示制御機能の全体処理（その１）に伴うメイン・サブ辞書設定処理（その１）を示すフローチャート。
【図７Ｂ】前記携帯機器（電子辞書）１０による情報表示制御機能の全体処理（その１）に伴うメイン・サブ辞書設定処理（その２）を示すフローチャート。
【図８】前記携帯機器（電子辞書）１０による情報表示制御機能のメイン・サブ辞書設定処理に伴うメイン・サブ辞書設定画面Ｇ１でのキー操作対応の表示動作（その１）を示す図。
【図９】前記携帯機器（電子辞書）１０による情報表示制御機能のメイン・サブ辞書設定処理に伴うメイン・サブ辞書設定画面Ｇ１でのキー操作対応の表示動作（その２）を示す図。
【図１０】前記携帯機器（電子辞書）１０による情報表示制御機能のメイン・サブ辞書設定処理に伴うメイン・サブ辞書設定画面Ｇ１でのキー操作対応の表示動作（その３）を示す図。
【図１１】前記携帯機器（電子辞書）１０による情報表示制御機能の全体処理に伴うキー操作対応の表示動作（その１）を示す図であり、同図（Ａ）は辞書キー「英和」１６a3操作に伴う見出し語一覧画面Ｇ２を示す図、同図（Ｂ）は「サブ辞書」キー１６Ｄ操作に伴う同種の見出し語一覧画面Ｇ２を示す図、同図（Ｃ）は説明情報表示画面Ｇ３を示す図。
【図１２】前記携帯機器（電子辞書）１０による情報表示制御機能の全体処理に伴うキー操作対応の表示動作（その２）を示す図であり、同図（Ｄ）は「スーパージャンプ」キー１６Ｊに応じてジャンプ検索対象文字を指定表示した「英和」サブ辞書での説明情報表示画面Ｇ３を示す図、同図（Ｅ）はジャンプ検索に応じた「英和」メイン辞書での説明情報表示画面Ｇ３を示す図。
【図１３】前記携帯機器（電子辞書）１０による情報表示制御機能の全体処理に伴うキー操作対応の表示動作（その３）を示す図であり、同図（Ｆ）はジャンプ検索時の「サブ辞書」キー１６Ｄ操作に伴う見出し語一覧画面Ｇ２を示す図、同図（Ｇ）はその説明情報表示画面Ｇ３を示す図。
【符号の説明】
【０１１０】
１０  …携帯機器（電子辞書）
１１  …ＣＰＵ
１２  …メモリ
１２ａ…辞書制御プログラム
１２ｂ…辞書データメモリ
１２ｃ…辞書設定可能キーテーブル
１２ｄ…メイン・サブ辞書設定テーブル
１２ｅ…ワークエリア
１３  …外部記憶媒体
１４  …記憶媒体読取部
１５  …通信部
１６  …入力部
１６a1〜１６a4…辞書キー
１６ｍ…「メニュー」キー
１６Ｄ…「サブ辞書」キー
１６Ｙ…「訳／決定」キー
１６Ｊ…「スーパージャンプ」キー
１６ｓ…「シフト」キー
１６Ｅ…「設定」キー
１７  …表示部
２０  …Ｗｅｂサーバ
Ｎ  …通信ネットワーク（インターネット）
【図１】
2005216109.tif 000003
【図２】
2005216109.tif 000004
【図３】
2005216109.tif 000005
【図４】
2005216109.tif 000006
【図５】
2005216109.tif 000007
【図６】
2005216109.tif 000008
【図７Ａ】
2005216109.tif 000009
【図７Ｂ】
2005216109.tif 000010
【図８】
2005216109.tif 000011
【図９】
2005216109.tif 000012
【図１０】
2005216109.tif 000013
【図１１】
2005216109.tif 000014
【図１２】
2005216109.tif 000015
【図１３】
2005216109.tif 000016